【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
ホログラフィックメモリに情報を記録する光情報記録装置において、
信号光と参照光を照射するレーザー光源と、
入力データに対して制御ビットを付加し、２次元ページデータを生成する信号生成部と、
前記信号光に、前記２次元ページデータを付加する空間光変調器と、
前記空間光変調器により前記２次元ページデータが付加された信号光と、前記参照光とを前記ホログラフィックメモリに照射することにより情報を記録するよう制御する制御部と、を備え、
前記信号生成部は、第１の２次元ページデータにおける、前記空間光変調器の第１の輝度のピクセル数と前記第１の輝度よりも大きい第２の輝度のピクセル数の比と、前記第１の２次元ページデータとは異なる第２の２次元ページデータにおける、前記空間光変調器の第１の輝度のピクセル数と前記第２の輝度のピクセル数の比と、が一定となるように前記制御ビットを決定することを特徴とする光情報記録装置。
【請求項２】
請求項１に記載の光情報記録装置であって、
前記信号生成部は、前記第１及び第２の２次元ページデータにおいて、前記空間光変調器の第１の輝度のピクセル数が、前記第２の輝度のピクセル数よりも多くなるように前記制御ビットを決定することを特徴とする光情報記録装置。
【請求項３】
請求項１または２に記載の光情報記録装置であって、
前記信号生成部は、前記制御ビットを付加したデータに対して、ＮＲＺＩ変調したデータの前記第１の輝度のピクセル数と前記第２の輝度のピクセル数の数の比に基づいて前記制御ビットを決定することを特徴とする光情報記録装置。
【請求項４】
請求項１〜３いずれかに記載の光情報記録装置であって、
前記信号生成部は、前記制御ビットに基づいてデータを反転させたデータの前記第１の輝度のピクセル数と前記第２の輝度のピクセル数の数の比に基づいて前記制御ビットを決定することを特徴とする光情報記録装置。
【請求項５】
ホログラフィックメモリに情報を記録する光情報記録装置において、
信号光と参照光を照射するレーザー光源と、
入力データに対して制御ビットを付加し、２次元ページデータを生成する信号生成部と、
前記信号光に、前記２次元ページデータを付加する空間光変調器と、
前記空間光変調器により前記２次元ページデータが付加された前記信号光と、前記参照光とを前記光情報記録媒体に照射することにより情報を記録するよう制御する制御部と、を備え、
前記信号生成部は、前記２次元ページデータにおいて、前記空間光変調器の第１の輝度のピクセル数が、前記第１の輝度よりも大きい第２の輝度のピクセル数よりも多くなるように前記制御ビットを決定することを特徴とする光情報記録装置。
【請求項６】
請求項５に記載の光情報記録装置であって、
前記信号生成部は、前記２次元ページデータにおける前記第１の輝度のピクセル数と前記第２の輝度のピクセル数の数の比と、前記２次元ページデータとは異なる２次元ページデータにおける前記第１の輝度のピクセル数と前記第２の輝度のピクセル数の数の比が一定となるように前記制御ビットを決定することを特徴とする光情報記録装置。
【請求項７】
請求項５または６に記載の光情報記録装置であって、
前記信号生成部は、前記制御ビットを付加したデータに対してＮＲＺＩ変調したデータの前記第１の輝度のピクセル数と前記第２の輝度のピクセル数の数の比に基づいて前記制御ビットを決定することを特徴とする光情報記録装置。
【請求項８】
請求項５〜７いずれかに記載の光情報記録装置であって、
前記信号生成部は、前記制御ビットに基づいてデータを反転させたデータの前記第１の輝度のピクセル数と前記第２の輝度のピクセル数の数の比に基づいて前記制御ビットを決定することを特徴とする光情報記録装置。
【請求項９】
ホログラフィックメモリに情報を記録する光情報記録方法において、
信号光と参照光を照射し、
入力データに対して制御ビットを付加し、２次元ページデータを信号生成部により生成し、
前記信号光に、前記２次元ページデータを空間光変調器により付加し、
前記空間光変調器により情報が付加された前記２次元ページデータと、前記参照光とを前記光情報記録媒体に照射することにより情報を記録するよう制御し、
前記信号生成部は、第１の２次元ページデータにおける、前記空間光変調器の第１の輝度のピクセル数と前記第１の輝度よりも大きい第２の輝度のピクセル数の比と、前記第１の２次元ページデータとは異なる第２の２次元ページデータにおける、前記空間光変調器の第１の輝度のピクセル数と前記第２の輝度のピクセル数の比と、が一定となるように前記制御ビットを決定することを特徴とする光情報記録方法。
【請求項１０】
請求項９に記載の光情報記録方法であって、
前記信号生成部は、前記第１及び第２のページデータにおいて、前記空間光変調器の第１の輝度のピクセル数が、前記第２の輝度のピクセル数よりも多くなるように前記制御ビットを決定することを特徴とする光情報記録方法。
【請求項１１】
請求項９または１０に記載の光情報記録方法であって、
前記信号生成部は、前記制御ビットを付加したデータに対して、ＮＲＺＩ変調したデータの前記第１の輝度のピクセル数と前記第２の輝度のピクセル数の数の比に基づいて前記制御ビットを決定することを特徴とする光情報記録方法。
【請求項１２】
請求項９〜１１いずれかに記載の光情報記録方法であって、
前記信号生成部は、前記制御ビットに基づいてデータを反転させたデータの前記第１の輝度のピクセル数と前記第２の輝度のピクセル数の数の比に基づいて前記制御ビットを決定することを特徴とする光情報記録方法。
【請求項１３】
ホログラフィックメモリに情報を記録する光情報記録方法において、
信号光と参照光を照射し、
入力データに対して制御ビットを付加し、２次元ページデータを信号生成部により生成し、
前記信号光に、前記２次元ページデータを空間光変調器により付加し、
前記空間光変調器により前記２次元ページデータが付加された前記信号光と、前記参照光とを前記光情報記録媒体に照射することにより情報を記録するよう制御し、
前記信号生成部は、前記２次元ページデータにおいて、前記空間光変調器の第１の輝度のピクセル数が、前記第１の輝度よりも大きい第２の輝度のピクセル数よりも多くなるように前記制御ビットを決定することを特徴とする光情報記録方法。
【請求項１４】
請求項１３に記載の光情報記録方法であって、
前記信号生成部は、前記２次元ページデータにおける前記第１の輝度のピクセル数と前記第２の輝度のピクセル数の数の比と、前記２次元ページデータとは異なる２次元ページデータにおける前記第１の輝度のピクセル数と前記第２の輝度のピクセル数の数の比が一定となるように前記制御ビットを決定することを特徴とする光情報記録方法。
【請求項１５】
請求項１３または１４に記載の光情報記録方法であって、
前記信号生成部は、前記制御ビットを付加したデータに対してＮＲＺＩ変調したデータの前記第１の輝度のピクセル数と前記第２の輝度のピクセル数の数の比に基づいて前記制御ビットを決定することを特徴とする光情報記録方法。
【請求項１６】
請求項１３〜１５いずれかに記載の光情報記録方法であって、
前記信号生成部は、前記制御ビットに基づいてデータを反転させたデータの前記第１の輝度のピクセル数と前記第２の輝度のピクセル数の数の比に基づいて前記制御ビットを決定することを特徴とする光情報記録方法。
【請求項１７】
請求項１〜８のいずれかに記載の光情報記録装置であって、
前記参照光の、前記光情報記録媒体に入射する角度を調整する角度調整部とを備え、
前記第１の２次元ページデータは、前記参照光が第１の入射角度で記録される２次元ページデータであり、前記第２の２次元ページデータは、前記参照光が前記第１の入射角度とは異なる第２の入射角度で記録される２次元ページデータであることを特徴とする光情報記録装置。
【請求項１８】
請求項９〜１６のいずれかに記載の光情報記録方法であって、
前記参照光の、前記光情報記録媒体に入射する角度を調整し、
前記第１の２次元ページデータは、前記参照光が第１の入射角度で記録される２次元ページデータであり、前記第２の２次元ページデータは、前記参照光が前記第１の入射角度とは異なる第２の入射角度で記録される２次元ページデータであることを特徴とする光情報記録方法。